(57)【要約】【課題】普通充電を行う普通充電装置の検索に適した充電サービスシステムを提供する。【解決手段】充電サービスシステム１は、電動車両６に搭載した電池を普通充電する普通充電装置２を検索するシステムである。利用者５が、通信端末３の操作部３３を用いて目的地を入力すると、通信端末３からサーバ装置４に目的地が送信される。サーバ装置４のμＣＯＭ４３は、送信された目的地周辺の普通充電装置２を検索して、通信端末３に送信する。利用者５が、通信端末３の操作部を用いて検索された充電装置２のうち予約したい充電装置２を入力すると、通信端末３からサーバ装置４に予約要求が送信され、サーバ装置４が予約を確定する。【選択図】図１
2020170443.tif 000002
【特許請求の範囲】
【請求項１】
電動車両に搭載した電池を普通充電する普通充電装置を検索する充電サービスシステムであって、
目的地が入力される目的地入力手段と、
前記目的地入力手段により入力された目的地周辺を検索領域に設定し、当該設定された検索領域内の前記普通充電装置を検索する検索手段と、を備えた、
充電サービスシステム。
【請求項２】
請求項１に記載の充電サービスシステムにおいて、
前記検索手段により検索された前記普通充電装置の予約要求、使用開始時間及び使用終了時間が入力される予約入力手段と、
前記予約要求が入力された前記普通充電装置を前記使用開始時間から前記使用終了時間まで予約する予約手段と、を備えた、
充電サービスシステム。
【請求項３】
請求項１又は２に記載の充電サービスシステムであって、
前記検索手段は、前記目的地入力手段により入力された目的地が所定の領域内であるとき、前記目的地までの交通機関と前記電動車両との乗り換え地点周辺を検索領域に設定し、当該設定された検索領域内の前記普通充電装置を検索する、
充電サービスシステム。
【請求項４】
電動車両に搭載した電池を普通充電する普通充電装置を検索するための通信端末であって、
目的地が入力される目的地入力手段と、
前記目的地入力手段により入力された前記目的地をサーバ装置に送信する目的地送信手段と、
前記サーバ装置から前記目的地周辺の前記普通充電装置の検索結果を受信する検索結果受信手段と、を備えた、
通信端末。
【請求項５】
電動車両に搭載した電池を普通充電する普通充電装置を検索するためのサーバ装置であって、
通信端末からの目的地を受信する目的地受信手段と、
前記目的地受信手段により受信された目的地周辺を検索領域に設定し、当該設定された検索領域内の前記普通充電装置を検索する検索手段と、
前記検索手段により検索した検索結果を前記通信端末に送信する検索結果送信手段と、を備えた、
サーバ装置。
【発明の詳細な説明】
【技術分野】
【０００１】
本発明は、電動車両に搭載した電池を普通充電する普通充電装置を検索する充電サービスシステム、当該充電サービスシステムに用いられる通信端末、及び、サーバ装置、に関する。
【背景技術】
【０００２】
電池を搭載した電動車両としては、電気自動車、ハイブリッド自動車、電動自転車、電動車椅子などがある。ところで、電動車両（特に電気自動車）の普及課題のひとつとして、充電スタンドが日本中を網羅するように増えないと外出先で電池切れになったときに充電できないという不安がある。
【０００３】
そこで、個人の住宅に設置した充電装置を所有者が使用しない間、他者に使用許可するための情報管理装置が提案されている（特許文献１）。特許文献１の情報管理装置は、充電したい他者の端末から送信された充電の要求条件を受信すると、要求条件を満たす充電装置を検索する。要求条件には、他者が充電装置を使用したい使用時間が含まれ、使用時間が現在時刻であれば、現在位置周辺が充電場所に設定される。使用時間がすぐでなければ、使用時間に走行しているであろう場所周辺が充電場所に設定される。
【０００４】
その他、上述した充電サービスシステムに関連する技術として、特許文献２〜４が挙げられる。
【先行技術文献】
【特許文献】
【０００５】
【特許文献１】特開２０１１−１０７９２９号公報
【特許文献２】特開２００２−３５４６０９号公報
【特許文献３】特開２０１２−１８２８７９号公報
【特許文献４】特開２０１８−１７０８２３号公報
【発明の概要】
【発明が解決しようとする課題】
【０００６】
上述した従来技術では、要求条件に充電場所と相関のある使用時間を含めていることから、他者（利用者）が走行中、充電したいときに充電の要求条件を送信することを前提としている。しかしながら、現状では、急速充電できる充電装置の数が非常に少ない。特に、個人の住宅には、普通充電装置が設置されていることが多く、急速充電装置が設置されていることはほとんどない。このため、利用者は、使用時間に検索された充電装置に行ったとしても、何時間も何もすることなく充電のために待つ必要があった。このため、従来技術は、普通充電を行う普通充電装置の検索には適していない、という問題があった。
【０００７】
本発明は、上述した事情に鑑みてなされたものであり、その目的は、普通充電を行う普通充電装置の検索に適した充電サービスシステム、通信端末、及び、サーバ装置を提供することにある。
【課題を解決するための手段】
【０００８】
前述した目的を達成するために、本発明に係る充電サービスシステム、通信端末、及び、サーバ装置は、下記［１］〜［５］を特徴としている。
［１］
電動車両に搭載した電池を普通充電する普通充電装置を検索する充電サービスシステムであって、
目的地が入力される目的地入力手段と、
前記目的地入力手段により入力された目的地周辺を検索領域に設定し、当該設定された検索領域内の前記普通充電装置を検索する検索手段と、を備えた、
充電サービスシステムであること。
［２］
［１］に記載の充電サービスシステムにおいて、
前記検索手段により検索された前記普通充電装置の予約要求、使用開始時間及び使用終了時間が入力される予約入力手段と、
前記予約要求が入力された前記普通充電装置を前記使用開始時間から前記使用終了時間まで予約する予約手段と、を備えた、
充電サービスシステムであること。
［３］
［１］又は［２］に記載の充電サービスシステムであって、
前記検索手段は、前記目的地入力手段により入力された目的地が所定の領域内であるとき、前記目的地までの交通機関と前記電動車両との乗り換え地点周辺を検索領域に設定し、当該設定された検索領域内の前記普通充電装置を検索する、
充電サービスシステムであること。
［４］
電動車両に搭載した電池を普通充電する普通充電装置を検索するための通信端末であって、
目的地が入力される目的地入力手段と、
前記目的地入力手段により入力された前記目的地をサーバ装置に送信する目的地送信手段と、
前記サーバ装置から前記目的地周辺の前記普通充電装置の検索結果を受信する検索結果受信手段と、を備えた、
通信端末であること。
［５］
電動車両に搭載した電池を普通充電する普通充電装置を検索するためのサーバ装置であって、
通信端末からの目的地を受信する目的地受信手段と、
前記目的地受信手段により受信された目的地周辺を検索領域に設定し、当該設定された検索領域内の前記普通充電装置を検索する検索手段と、
前記検索手段により検索した検索結果を前記通信端末に送信する検索結果送信手段と、を備えた、
サーバ装置であること。
【０００９】
上記［１］、［４］、［５］の構成の充電サービスシステム、通信端末、サーバ装置によれば、目的地周辺の普通充電装置が検索されるので、目的地で観光、食事、買い物などをしている間に、充電することができる。
【００１０】
上記［２］の構成の充電サービスシステムによれば、使用開始時間、使用終了時間を指定して予約することができる。普通充電装置は、充電時間が長いため、時間指定の予約制とすることにより、検索した普通充電装置が利用できない、という事態を抑制することができる。
【００１１】
上記［３］の構成の充電サービスシステムによれば、交通機関が発達している所定の領域で交通機関との乗り換え地点を案内することができる。
【発明の効果】
【００１２】
本発明によれば、目的地周辺の普通充電装置が検索されるので、目的地で観光、食事、買い物などをしている間に、充電することができる。これにより、普通充電を行う充電装置の検索に適した充電サービスシステムを提供できる。
【００１３】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１４】
【図１】図１は、本発明の充電サービスシステムの一実施形態を示す構成図である。
【図２】図２は、図１に示す通信端末の構成図である。
【図３】図３は、図１に示すサーバ装置の構成図である。
【図４】図４は、図１に示す充電サービスシステムの動作を説明するための通信シーケンス図である。
【図５】図５は、図４の続きを示す通信シーケンス図である。
【図６】図６は、図１に示すサーバ装置の充電装置の検索について説明するための説明図である。
【図７】図７は、図１に示す通信端末の表示部に表示される充電装置の検索結果の一例を示す図である。
【図８】図８は、図１に示す通信端末の表示部に表示される予約日入力画面の一例を示す図である。
【図９】図９は、図１に示す通信端末の表示部に表示される予約時間入力画面の一例を示す図である。
【図１０】図１０は、他の実施形態における図４の続きを示す通信シーケンス図である。
【図１１】図１１は、他の実施形態における図４の続きを示す通信シーケンス図である。
【発明を実施するための形態】
【００１５】
本発明に関する具体的な実施形態について、各図を参照しながら以下に説明する。
【００１６】
電動車両に搭載した電池を充電する充電装置としては、普通充電装置と急速充電装置の二つに分けることができる。普通充電装置は、単相１００Ｖまたは２００Ｖを電源とし、充電に長時間かかるが、一般的な戸建て住宅・マンションなどに容易に設置することができる。以下、上記普通充電装置が行う充電を「普通充電」と称する。これに対して、急速充電装置は、三相２００Ｖを電源とし、充電が短時間ですむが、容易に設置することができない。
【００１７】
本実施形態の充電サービスシステム１は、上述した２種類の充電装置のうち普通充電装置を検索して、予約するためのシステムである。本実施形態においては、電動車両として電気自動車を例に説明するが、電動車両は電池を駆動源として走行する車両であればよく、ハイブリッド自動車、電動自転車などであってもよい。
【００１８】
充電サービスシステム１は、普通充電を行う複数の普通充電装置２（以下、単に「充電装置２」と略記）と、これら充電装置２を利用する利用者５が所有する通信端末３と、通信端末３との通信により充電装置２の検索、予約などを実行するサーバ装置４と、を備えている。本実施形態において、充電装置２、通信端末３及びサーバ装置４はインターネット通信網７を介して互いに通信可能に構成されている。また、通信端末３及びサーバ装置４には、非接触ＩＣカード技術が採用され、インターネット通信網７を介さずに互いに無線通信可能に構成されている。
【００１９】
充電装置２は、全国各地の戸建て住宅、店舗などに設置され、後述するサーバ装置４のデータベース（以下、ＤＢ）４２に予め登録された普通充電装置である。図１に示す例では、充電装置２は、充電コード２１を用いて電動車両６の充電を行う形態であるが、電磁誘導を利用して非接触で充電する形態などであってもよい。充電装置２は、予約された通信端末３の認証、認証後の課金情報をサーバ装置４に送信する課金処理などを実行する。
【００２０】
通信端末３は、例えばタブレットやスマートフォンなどから構成されている。通信端末３は、図２に示すように、インターネット通信網７に無線接続するための第１通信部３１と、充電装置２と無線通信を行うための第２通信部３２と、予約のための各種情報の入力操作が行われる操作部３３（目的地入力手段、予約入力手段）と、サーバ装置４から送信された情報を表示する表示部３４と、通信端末３全体の制御を司るマイクロコンピュータ（以下、μＣＯＭ）３５と、を有している。
【００２１】
本実施形態では、上記操作部３３及び表示部３４として、これらを一体に形成したタッチパネルから構成されている例について説明する。上記通信端末３のμＣＯＭ３５は、第１、第３情報提示手段として機能し、サーバ装置４により検索された充電装置２の情報（周辺情報含む）を表示（提示）する。また、μＣＯＭ３５は、第２情報提示手段として機能し、予約した充電装置２の情報（予約日時、周辺情報含む）を表示する。
【００２２】
サーバ装置４は、図３に示すように、インターネット通信網７に接続するための通信部４１と、複数の充電装置２の登録情報（設置場所、利用条件、パスデータ、周辺情報など）や予約状況が記憶されたＤＢ４２と、サーバ装置４全体の制御を司るμＣＯＭ４３と、を有している。サーバ装置４のμＣＯＭ４３は、検索手段として機能し、通信端末３からの入力に応じてＤＢ４２から充電装置２を検索し、その検索結果を通信端末３に送信する。μＣＯＭ４３は、予約手段として機能し、通信端末３からの入力に応じて充電装置２の予約を確定し、確定した充電装置２を使用できるようにするためのパスデータを通信端末３に送信する。
【００２３】
次に、上述した構成の充電サービスシステム１の動作について図４及び図５を参照して説明する。本実施形態の充電サービスシステム１は、利用者５が目的地（特に遠隔地）に行って、その先で観光、食事、買い物などをしている間に充電できる充電装置２を検索するのに最適なシステムである。利用者５は、目的地に行く計画が決定すると、充電装置２の予約を取るために通信端末３を操作して予約アプリを立ち上げる。
【００２４】
これに応じて、通信端末３のμＣＯＭ３４（以下、単に通信端末３と略記）は、予約アプリを実行する。通信端末３は、予約アプリを実行すると、まず表示部３４に予約ボタン、予約確認ボタン（図示せず）が表示される。利用者５が予約ボタンを操作すると、通信端末３は、表示部３４に目的地・出発地の入力画面を表示する。
【００２５】
利用者５が通信端末３の操作部３３を操作して目的地、出発地を入力すると（Ｓ１）、通信端末３は、目的地送信手段として機能する第１通信部を制御して、入力された目的地、出発地をサーバ装置４に送信する（Ｓ２）。サーバ装置４のμＣＯＭ４３（以下、単にサーバ装置４と略記）は、目的地受信手段として機能する通信部４１が目的地、出発地を受信すると（Ｓ３）、ＤＢ４２から充電装置２を検索する（Ｓ４）。
【００２６】
このとき、サーバ装置４は、図６に示すように目的地がＭａａＳ（Mobility as a Service）領域Ａ１（所定の領域）内であるか否かを判定する。ＭａａＳ領域Ａ１とは、交通機関（バス、鉄道、地下鉄など）が発達し、マイカーがほとんど走行していない領域としてサーバ装置４に予め登録された領域である。サーバ装置４は、目的地がＭａａＳ領域Ａ１内にあると判定すると、目的地までの交通機関と利用者５が所有する電動車両６との乗り換え地点（例えば駅）を求める。乗り換え地点は、交通機関のデータや、利用者５が入力した目的地、出発地に基づいて求めることができる。なお、乗り換え地点としては、ＭａａＳ領域Ａ１内であっても、ＭａａＳ領域Ａ１外であってもよい。
【００２７】
次に、サーバ装置４は、乗り換え地点周辺（乗り換え地点まで徒歩で行ける範囲内）を検索領域に設定し、設定した検索領域内の充電装置２を検索する。一方、サーバ装置４は、目的地がＭａａＳ領域Ａ１外であれば、目的地周辺（目的地まで徒歩で行ける範囲）を検索領域に設定し、設定した検索領域内の充電装置２を検索する。
【００２８】
これにより、図６に示すように、ＭａａＳ領域Ａ１外に自宅がある利用者５が、ＭａａＳ領域Ａ１内を目的地とした場合、利用者５は、自宅から乗り換え地点（駅など）周辺の充電装置２まで所有の電動車両６で移動し、充電装置２から乗り換え地点まで徒歩で向かって、乗り換え地点から目的地まで交通機関を利用することができる。一方、ＭａａＳ領域Ａ１内に自宅がある利用者５が、ＭａａＳ領域Ａ１外の例えば地方観光都市を目的地とした場合、利用者５は、レンタカーなどの電動車両６で目的地周辺の充電装置２まで移動し、そこから徒歩で目的地に向かうことができる。
【００２９】
その後、サーバ装置４は、検索結果送信手段、情報送信手段として機能する通信部４１を制御して充電装置２の検索結果を通信端末３に送信する（Ｓ５）。充電装置２の検索結果には、検索された各充電装置２の情報（場所や予約状況）、各充電装置２の周辺情報などが含まれる。通信端末３は、検索結果受信手段、情報受信手段として機能する第１通信部が充電装置２の検索結果を受信すると（Ｓ６）、第１情報提示手段として機能し、検索結果を表示部３４に表示する（Ｓ７）。検索結果の表示例としては、図７に示すように、地図上に検索された充電装置２を示すアイコンＩを表示することが考えられる。また、目的地周辺で充電装置２を検索した場合は、地図上に目的地を示すアイコンを表示してもよい。乗り換え地点周辺で充電装置２を検索した場合は、地図上に乗り換え地点を示すアイコンを表示してもよい。勿論、地図を表示せずに、検索された充電装置２の住所の一覧を表示するようにしてもよい。
【００３０】
利用者５が、例えば、予約したい充電装置２のアイコンＩをタッチまたはクリックすると、通信端末３には、タッチまたはクリックしたアイコンＩに対応する充電装置２が予約したい充電装置２として入力される（Ｓ８）。充電装置２が入力されると（Ｓ８）、通信端末３は、サーバ装置４から受信した予約状況に基づいて、図８に示す予約日入力画面を表示する（Ｓ９）。なお、利用者５は、Ｓ８において複数の充電装置２を入力して予約日入力画面に進むことができる。
【００３１】
予約日入力画面には、利用者５が入力した各充電装置２（図８の表示例では充電装置Ａ〜Ｃ）の予約可能日が表示される。図８に示す例では、各充電装置Ａ〜Ｃの本日（４／１８）から一週間後までの予約可能日、予約不可日を示す表が表示される。予約可能日には「○」が表示され、予約不可日には「×」が表示される。
【００３２】
また、予約日入力画面には、利用者５が入力した各充電装置２に対応する周辺情報ボタン３３Ａが表示される。利用者５が、周辺情報ボタン３３Ａを操作（タッチ又はクリック）すると、操作した周辺情報ボタン３３Ａに対応する充電装置２に紐づけられた周辺情報が表示される。周辺情報としては、周辺施設のクーポン情報（割引券）、セール情報、観光情報などが含まれる。また、利用者５が、予約したい充電装置２の予約日の入力（例えば図８中の「○」のタッチまたはクリック）を行うと（Ｓ１０）、通信端末３は図９に示す予約時間入力画面を表示する（Ｓ１１）。
【００３３】
予約時間入力画面には、利用者５が入力した充電装置２（図９に示す例では充電装置Ａ）及び予約日（図９に示す例では４／２１）における予約可能時間が表示される。図９に示す例では、１時間毎の予約可能時間、予約不可時間を示す表が表示される。予約可能時間には「予約可」が表示され、予約不可時間には「予約不可」が表示され、時間帯毎にチェック欄が表示される。
【００３４】
利用者５が、操作部３３を用いて「予約可」と表示される時間帯のチェック欄にチェックを入れると、通信端末３に使用開始時間、使用終了時間が入力される（Ｓ１２）。即ち、使用開始時間を１２：００、使用終了時間を１４：００と入力したい場合、利用者は、１２：００〜１３：００のチェック欄と、１３：００〜１４：００のチェック欄にチェックを入れればよい。なお、「予約不可」と記載されている時間帯のチェック欄にはチェックが入れられないようになっている。
【００３５】
その後、予約ボタン３３Ｂを押すと、通信端末３は、予約送信手段として機能する第１通信部３１を制御して、入力した充電装置２の予約要求、予約日時（予約日、使用開始時間、使用終了時間含む）をサーバ装置４に送信する（Ｓ１３）。
【００３６】
サーバ装置４は、予約受信手段として機能する通信部４１が予約要求、予約日時を受信すると（Ｓ１４）、予約を確定して（Ｓ１５）、各充電装置２の予約状況を更新する（即ち、予約が確定された充電装置２の使用開始時間から使用終了時間までを予約不可にする）。その後、サーバ装置４は、予約要求された充電装置２の通信端末３にパスデータを含む予約確定通知を送信する（Ｓ１６）。通信端末３は、パスデータを含む予約確定通知を受信すると（Ｓ１７）、予約確定を表示すると共にパスデータを保存する（Ｓ１８）。
【００３７】
その後、利用者５が予約日時に予約した充電装置２の場所に行き、パスデータを送信して認証を行う（Ｓ１９）。充電装置２は、パスデータを受信すると（Ｓ２０）、パスデータの認証を行う（Ｓ２１）。充電装置２は、認証できれば充電を開始すると共に（Ｓ２２）、その課金情報をサーバ装置４及び予約した利用者５の通信端末３に送信する（Ｓ２３）。
【００３８】
なお、サーバ装置４は、課金情報を受信すると（Ｓ２４）、クレジットカード、電子マネーや口座引き落としなどにより決算処理を行い（Ｓ２５）、処理を終了する。また、通信端末３は、課金情報を受信すると、その課金情報を利用者５に通知して（Ｓ２６）、処理を終了する。
【００３９】
一方、利用者５が、予約アプリ立ち上げ時に予約確認ボタンを操作すると、通信端末３は、予約確定した充電装置２の情報（場所、予約日時、周辺情報）を表示する。これにより、利用者５は予約した充電装置２の場所、予約日時を確認することができる。また、利用者５は、周辺情報に含まれるクーポンを利用することもできる。
【００４０】
上述した実施形態によれば、目的地周辺の普通充電装置２が検索されるので、目的地で観光、食事、買い物などをしている間に、充電することができる。これにより、普通充電を行う充電装置２の検索に適した充電サービスシステムを提供できる。
【００４１】
上述した実施形態によれば、使用開始時間、使用終了時間を指定して予約することができる。普通充電装置２は、充電時間が長いため、時間指定の予約制とすることにより、検索した普通充電装置２が利用できない、という事態を抑制することができる。
【００４２】
上述した実施形態によれば、目的地がＭａａＳ領域内Ａ１であれば、乗り換え地点周辺の普通充電装置２が検索されるので、交通機関が発達しているＭａａＳ領域Ａ１で交通機関との乗り換え地点を案内することができる。
【００４３】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４４】
上述した実施形態によれば、目的地がＭａａＳ領域Ａ１であれば乗り換え地点周辺の充電装置２を検索していたが、これに限ったものではない。ＭａａＳ領域Ａ１を設定せずに、目的地周辺のみの充電装置２を検索するようにしてもよい。この場合、通信端末３からサーバ装置４に目的地のみを送信すればよく、出発地を送信する必要はない。
【００４５】
また、上述した実施形態によれば、サーバ装置４は、目的地周辺や乗り換え地点周辺の充電装置２を検索し、出発地から目的地周辺までの経路周辺の充電装置２は検索していなかった。そこで、利用者５が、検索領域を目的地のみ、乗り換え地点周辺のみと、出発地から目的地までの間の経路周辺と、から選択できるようにして、後者を選択した場合、サーバ装置４が、出発地から目的地までの間の経路周辺の充電装置２を検索するようにしてもよい。
【００４６】
また、上述した実施形態によれば、利用者５が、目的地の入力画面に目的地を入力すると、例えば図７に示すように、目的地に紐づいた充電装置２の場所が表示され、その中から充電装置２が予約できるようになっていたが、これに限ったものではない。例えば、利用者５が、アプリを立ち上げ、予約ボタンを操作すると、例えば関東などの広域の地図上に充電装置２の場所が表示される。この場合、利用者５が、表示部３４に表示された地図をスクロール操作、拡大・縮小操作して、目的地を中心とした地図を表示し、その地図内に表示された充電装置２を選択して予約できるようにしてもよい。即ち、利用者５が、地図をスクロール操作、拡大・縮小操作する毎に、目的地が入力、変更され、サーバ装置４は入力、変更された目的地の充電装置２を検索して通信端末３に送信する。
【００４７】
また、上述した実施形態によれば、充電装置２は、インターネット通信網７に接続可能に設けられ、図５に示すように、充電装置２が課金情報をサーバ装置４に送信していたが、これに限ったものではない。充電装置２としては、インターネット通信網７に接続できなくてもよい。充電装置２としては、通信端末３と非接触で通信できるものであれば、例えば、図１０に示すように、通信端末３が充電装置２から課金情報を受信すると（Ｓ２６）、受信した課金情報をサーバ装置４に送信するようにしてもよい。なお、図１０において、図５に示す動作と同じ部分については同一符号を付してその詳細な説明を省略する。
【００４８】
また、上述した実施形態によれば、充電装置２は、通信端末３と通信できるように設けられ、図５及び図１０に示すように、充電装置２が課金情報を通信端末３及びサーバ装置４に送信していたが、これに限ったものではない。充電装置２としては、インターネット通信網７に接続できなくても、通信端末３と通信できなくてもよい。
【００４９】
この場合、利用者は、予約時間になったら予約した充電装置２の設置場所に行って充電を行う。そして、サーバ装置４は、予約が確定した後（図４のＳ１５）、図１０に示すように、予約時間になると課金情報を送信して（Ｓ２７）、課金処理を実行する（Ｓ２５）。通信端末３は、課金情報を受信すると、その課金情報を利用者５に通知して（Ｓ２６）、処理を終了する。即ち、利用者は、サーバ装置４に対してキャンセル処理しないと予約した充電装置２に行かない場合であっても課金されるようになっている。
【００５０】
上述した実施形態によれば、パスデータは、ＤＢ４２に登録情報として予め登録されたものを利用していたが、これに限ったものではない。充電装置２が、インターネット通信網７に接続できるものであれば、例えば、周知のワンタイムパス認証技術を利用して、予約日時での１回限り有効な使い捨てのパスデータを用いてもよい。即ち、サーバ装置４が予約毎にパスデータを生成して、パスデータ及び予約日時を通信端末３と充電装置２とに送信する。充電装置２は、予約日時になると、サーバ装置４から送信された予約日時に対応したパスデータにより認証を行う。
【００５１】
ここで、上述した本発明に係る充電サービスシステム、通信端末、及び、サーバ装置の実施形態の特徴をそれぞれ以下［１］〜［５］に簡潔に纏めて列記する。
［１］
電動車両（６）に搭載した電池を普通充電する普通充電装置（２）を検索する充電サービスシステム（１）であって、
目的地が入力される目的地入力手段（３３）と、
前記目的地入力手段（３３）により入力された目的地周辺を検索領域に設定し、当該設定された検索領域内の前記普通充電装置（２）を検索する検索手段（４３）と、を備えた、
充電サービスシステム（１）。
［２］
［１］に記載の充電サービスシステム（１）において、
前記検索手段（４３）により検索された前記普通充電装置（２）の予約要求、使用開始時間及び使用終了時間が入力される予約入力手段（３３）と、
前記予約要求が入力された前記普通充電装置（２）を前記使用開始時間から前記使用終了時間まで予約する予約手段（４３）と、を備えた、
充電サービスシステム（１）。
［３］
［１］又は［２］に記載の充電サービスシステム（１）であって、
前記検索手段（４３）は、前記目的地入力手段（３３）により入力された目的地が所定の領域内であるとき、前記目的地までの交通機関と前記電動車両との乗り換え地点周辺を検索領域に設定し、当該設定された検索領域内の前記普通充電装置（２）を検索する、
充電サービスシステム（１）。
［４］
電動車両（６）に搭載した電池を普通充電する普通充電装置（２）を検索するための通信端末（３）であって、
目的地が入力される目的地入力手段（３３）と、
前記目的地入力手段（３３）により入力された前記目的地をサーバ装置（４）に送信する目的地送信手段（３１）と、
前記サーバ装置（４）から前記目的地周辺の前記普通充電装置（２）の検索結果を受信する検索結果受信手段（３１）と、を備えた、
通信端末（３）。
［５］
電動車両（６）に搭載した電池を普通充電する普通充電装置（２）を検索するためのサーバ装置（４）であって、
通信端末（３）からの目的地を受信する目的地受信手段（４１）と、
前記目的地受信手段（４１）により受信された目的地周辺を検索領域に設定し、当該設定された検索領域内の前記普通充電装置を検索する検索手段（４３）と、
前記検索手段（４３）により検索した検索結果を前記通信端末（３）に送信する検索結果送信手段（４１）と、を備えた、
サーバ装置（４）。
【符号の説明】
【００５２】
１  充電サービスシステム
３  通信端末
４  サーバ装置
３１  第１通信部（目的地送信手段、検索結果受信手段）
３３  操作部（目的地入力手段、予約入力手段）
４１  通信部（目的地受信手段、検索結果送信手段）
４３  μＣＯＭ（検索手段、予約手段）
２  充電装置（普通充電装置）
６  電動車両
Ａ１  ＭａａＳ領域（所定の領域）
【図１】
2020170443.tif 000003
【図２】
2020170443.tif 000004
【図３】
2020170443.tif 000005
【図４】
2020170443.tif 000006
【図５】
2020170443.tif 000007
【図６】
2020170443.tif 000008
【図７】
2020170443.tif 000009
【図８】
2020170443.tif 000010
【図９】
2020170443.tif 000011
【図１０】
2020170443.tif 000012
【図１１】
2020170443.tif 000013